(57)【要約】      （修正有）【課題】少量の水を、三回連続で、一気に弾丸のように飛ばすウオーターガンを提供する。水を使わずに、エアーガンにもなる。【解決手段】ウオーターガンの握り部分の水タンク１に、水送りポンプ４を押して空気を送り、水タンク１内に圧力をかけて逆流防止弁１６のついた三本の水送りチューブ２から、三本のチューブ１０に水を送る水送り装置を備える。三本のノズル８と三本のチューブででつながった三分室タンク９に、空気を送って圧力をかけるポンプ３を備える。三本のノズル８へ行く三本のチューブ１０を、チューブ受け１５に押しつけて、三本のチューブ１０を閉じる長さの違ったチューブ押さえレバー５を有し、当該レバー５が、引き金を少々引いてもすぐに戻らないように押さえているカム６および、そのカム６をはずす引き金７と一体のカム押しレバー１１からなるチューブ開閉装置を備える。【選択図】図１
2006292342.tif 000002
【特許請求の範囲】
【請求項１】
三つに分けたタンクの仕切りに、逆流防止弁を設けて、ポンプから送られてきた空気を、中央のタンクに送り、中央のタンクから逆流防止弁を通して両側のタンクに送る構造の、三分室タンク。
【請求項２】
ウオーターガンの握り部分を水タンクとし、この水タンクに水送りポンプを押して、空気送り管から水タンク内に空気を送って圧力をかけ、逆流防止弁のついた三本の水送りチューブを通して、三本のチューブに水を送る水送り装置。
【請求項３】
三分室空気タンクからの三本のチューブを、順番に開閉するために、三本のチューブ押さえレバーの長さを変えることにより、引き金を引いて、チューブ押さえレバーを押さえていたカムを押すことにより、三本のチューブ押さえレバーが順番にカムからはずれ、押さえられていたチューブが順番に開くようにしたチューブ開閉装置。
【発明の詳細な説明】
【産業上の利用分野】
【０００１】この発明は、少量の水を圧縮空気で一気に飛ばす、又水を使わずにエアーガンにもなるウオーターガンに関するものである。
【背景技術】
【０００２】従来のウオーターガンは、水タンクに空気を送り込み、その圧力で多量の水を飛ばす構造になっている。
【発明が解決しようとする課題】
【０００３】この発明は、圧縮空気を直接ノズルへ送って、チューブに送られた少量の水を飛ばす構造にすることにより、小型、軽量で室内でもエアーガンとして遊べる用にしたものである。
【課題を解決するための手段】
【０００４】本発明を図面について説明すると、
▲１▼  ウオーターガンの握り部分を水タンク（１）とし、この水タンク（１）に水送りポンプ（４）を押して空気を送り、水タンク内に圧力をかけて逆流防止弁（１６）のついた三本の水送りチューブ（２）から、三本のチューブ（１０）に水を送る、水送り装置。
▲２▼  三本のノズル（８）と三本のチューブ（１０）でつながった三分室タンク（９）、及び三分室タンク（９）に空気を送るポンプ（３）からなる、空気送り装置。
▲３▼  戻るときにチューブ押さえレバー（５）をおし、引いた時にカム（６）を押すカム押しレバー（１１）と一体の、引き金（７）。
▲４▼  三本のノズル（８）へ行く三本のチューブ（１０）をチューブ受け（１５）に押しつけて、三本のチューブ（１０）を閉じる長さの違った三本のチューブ押さえレバー（５）、三本のチューブ押さえレバー（５）が戻らないように押さえているカム（６）、三本のチューブ押さえレバー（５）からカム（６）をはずす引き金（７）と一体の、カム押しレバー（１１）からなるチューブ開閉装置。
以上のごとく構成された三連射ウオーターガン。
【作用】
【０００５】本発明は、以上のような構成であるから、
▲１▼  三分室タンク（９）に空気を送って圧力をかける。
▲２▼  引き金（７）を引くと、カム押しレパー（１１）がカム（６）を押すことにより、三本の長さの違ったチューブ押さえレバー（５）が、カム（６）から順番にはずれる。
▲３▼  三本のチューブ押さえレバー（５）に押さえられていた、三本のチューブ（１０）が順番に開き、三分室タンク（９）の圧力のかかった空気が、一気に順番にノズルへ行く。
▲４▼  ▲１▼▲２▼▲３▼により、水送りポンプ（４）を押して、タンク（１）から送られたノズル（８）の手前の水を、一気に弾丸のように発射する。
【効果】
【０００６】本発明のウオーターガンは、
▲１▼  発射水量は少ないが、水の飛ぶスピードが早い。
▲２▼  三回連続で発射出来ることにより、セミ、トンボ等を捕らえる場合に、高い場所でタモが届かない、あるいわ飛んでいる場合でも、一回目、二回目、三回目と水があたればバランスをくずして下に落ちてくる、落ちたところをタモで捕らえることが出来る。
▲３▼  水を使わずに、ノズルに弾を付けて三連射エアーガンとしても利用できる。
【図面の簡単な説明】
【０００７】
【図１】    本発明の内部側面図。
【図２】    本発明の三分室タンクの断面図。
【図３】    チューブ押さえレバーとカムの斜視図。
【図４】    水送り装置と空気送り装置の展開図。
【符号の説明】
（１）水タンク    （２）水送りチューブ    （３）ポンプ
（４）水送りポンプ    （５）チューブ押さえレバー
（６）カム    （７）引き金    （８）ノズル
（９）三分室タンク    （１０）チューブ    （１１）カム押しレバー
（１２）給水口    （１３）空気送りチューブ    （１４）回転軸
（１５）回転チューブ受け    （１６）逆流防止弁
（１７）空気送り管
【図１】
2006292342.tif 000003
【図２】
2006292342.tif 000004
【図３】
2006292342.tif 000005
【図４】
2006292342.tif 000006
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
三つに分けたタンクの仕切りに、逆流防止弁を設けて、ポンプから送られてきた空気を、中央のタンクに送り、中央のタンクから逆流防止弁を通して両側のタンクに送る構造の、三分室タンクを有することを特徴とする三連射ウオーターガン。
【請求項２】
ウオーターガンの握り部分を水タンクとし、この水タンクに水送りポンプを押して、空気送り管から水タンク内に空気を送って圧力をかけ、逆流防止弁のついた三本の水送りチューブを通して、三本のチューブに水を送る水送り装置を有することを特徴とする、三連射ウオ−タ−ガン。
【請求項３】
三分室タンクからの三本のチューブを、順番に開閉するために、三本のチューブ押さえレバーの長さを変えることにより、引き金を引いて、チューブ押さえレバーを押さえていたカムを押すことにより、三本のチューブ押さえレバーが順番にカムからはずれ、押さえられていたチューブが順番に開くようにした、チューブ開閉装置を有することを特徴とする、三連射ウオータ−ガン。
【請求項４】
チューブ押さえレバーが、チューブを押さえつづけないように円柱、又は角柱のチュ−ブ受けを回転させて、チューブ受けとチュ−ブ押さえレバ−との間隔が変わるように、チュ−ブ受けの中心を外して回転軸を設けた、回転するチュ−ブ受けを有することを特徴とする、三連射ウオ−タ−ガン。
【請求項５】
引き金が戻る時に、チューブ押さえレバーを押し、引き金をある程度引いてからカムを押すようにした、カム押しレバーと一体の形状の引き金を有することを特徴とする、三連射ウオーターガン。